(57)【要約】【課題】ドツキゴト行為を示す確実な証拠を残す。【解決手段】受け皿１７に回転ローラ２３を設ける。回転ローラ２３はガイド部材２７に形成したガイド溝２９に沿って移動する。受け皿１７の後面と、枠体１０の後板３１との間には、押しバネ３０を設ける。受け皿１７は、図３（Ａ）に示す突出位置と、（Ｂ）に示す押込位置との間で移動する。遊技者がドツキゴトを行おうとして受け皿１７の前面１７ｃを叩くと、受け皿１７が押込位置に移動して、受け皿１７がロックされる。【選択図】図３
2008167982.tif 000002
【特許請求の範囲】
【請求項１】
遊技機本体と、この遊技機本体の前面側に設けられ前記遊技機本体から払い出される遊技球を収容する受け皿とを備えた弾球遊技機において、
前記受け皿は、前記遊技機本体の前面から突出する突出位置と前記遊技機本体内に押し込まれる押込位置との間で移動し、
前記受け皿を前記突出位置に付勢する付勢手段と、
前記受け皿が前記押込位置に移動したときに前記受け皿をロックするロック手段とを備えたことを特徴とする弾球遊技機。
【請求項２】
前記受け皿が前記押込位置に移動したときに、前記遊技機本体に設けられ遊技球を流下させて遊技が行われる遊技領域に、遊技球が供給されることを阻止する供給阻止手段を備えたことを特徴とする請求項１記載の弾球遊技機。
【請求項３】
前記遊技機本体は、遊技球を打ち出す発射装置と、この発射装置から打ち出された遊技球を前記遊技領域に案内する案内通路とを有し、
前記供給阻止手段は、前記受け皿の一部で前記案内通路を塞ぐことによって遊技球の供給を阻止することを特徴とする請求項２記載の弾球遊技機。
【発明の詳細な説明】
【技術分野】
【０００１】
本発明は、遊技機本体の前面側に設けられ遊技機本体から払い出される遊技球を収容する受け皿を備えた弾球遊技機に関する。
【背景技術】
【０００２】
パチンコ店などの遊技場に設置される弾球遊技機としてパチンコ機が知られている。このパチンコ機では、遊技者がパチンコ機を叩いて遊技球の進路を変えて遊技を有利に進める、いわゆるドツキゴトと呼ばれる不正行為が行われることがあった。このドツキゴトは、パチンコ機の前面から突出した受け皿を叩いて行われることが多く、他の遊技者に迷惑をかける上、パチンコ機の破損や故障の原因になってしまう。
【０００３】
従来では、ドツキゴトを防ぐために、パチンコ機に振動センサを設け、この振動センサが振動を検知したときに警報ブザーを鳴らしたりランプを点灯させたりして、ホールの店員に報知することが一般的に行われている（例えば、特許文献１及び２参照）。
【特許文献１】実開平６−７７８７号公報
【特許文献２】特開２００３−７１０６７号公報
【発明の開示】
【発明が解決しようとする課題】
【０００４】
しかしながら、振動センサは誤作動することが多々あったため、例えば、実際にドツキゴトを行った遊技者がいても、振動センサが誤作動したと言い逃れして、この遊技者がドツキゴトを認めないことがあった。このように、振動センサが作動しても、これがドツキゴトの確実な証拠にはなり得ないという問題があった。
【０００５】
本発明は、ドツキゴト行為を示す確実な証拠を残すとともに、ドツキゴト行為による破損や故障を防止することができるパチンコ機を提供することを目的とする。
【課題を解決するための手段】
【０００６】
本発明は、遊技機本体と、この遊技機本体の前面側に設けられ前記遊技機本体から払い出される遊技球を収容する受け皿とを備えた弾球遊技機に関し、前記受け皿は、前記遊技機本体の前面から突出する突出位置と前記遊技機本体内に押し込まれる押込位置との間で移動し、前記受け皿を前記突出位置に付勢する付勢手段と、前記受け皿が前記押込位置に移動したときに前記受け皿をロックするロック手段とを備えたことを特徴とする。前記受け皿が前記ロック手段によってロックされたことを報知する報知手段を備えることが好ましい。
【０００７】
前記受け皿が前記押込位置に移動したときに、前記遊技機本体に設けられ遊技球を流下させて遊技が行われる遊技領域に、遊技球が供給されることを阻止する供給阻止手段を備えることが好ましい。
【０００８】
前記遊技機本体は、遊技球を打ち出す発射装置と、この発射装置から打ち出された遊技球を前記遊技領域に案内する案内通路とを有し、前記供給阻止手段は、前記受け皿の一部で前記案内通路を塞ぐことによって遊技球の供給を阻止することが好ましい。また、供給阻止手段は、受け皿が押込位置に移動したときにオンになるスイッチを設け、このスイッチがオン信号を発しているときに発射装置の打ち出しを電気的に禁止する技術であってもよい。
【発明の効果】
【０００９】
本発明の弾球遊技機によれば、遊技者がドツキゴト行為を行ったときには受け皿が押込位置に移動してロックされるから、ドツキゴト行為が行われたことを示す確実な証拠が視覚的に残る。また、受け皿は突出位置に向けて付勢されており、受け皿が叩かれたときには、この叩いた力は受け皿を押し込む力になることから、機体が破損したり故障したりすることを防止できる。
【００１０】
遊技球を遊技領域に供給することを阻止する供給阻止手段を備えた場合には、ドツキゴト行為が行われたときに遊技が継続できない構成になる。
【発明を実施するための最良の形態】
【００１１】
図１に示すように、パチンコ機（弾球遊技機）２は、遊技本体（遊技機本体）３と、上下左右の４枚の板を組み合わせた外枠４とから構成される。遊技本体３は、外枠４に設けられた軸部５を介して横開きに回転自在であり、外枠４の内側に入り込む閉じ位置と、外枠４の内側から出て遊技本体３の側面及び裏面を露呈させる開き位置との間で移動する。
【００１２】
遊技本体３は、遊技本体３を構成する各部を保持する枠体１０を有する。この枠体１０には、枠体１０に対して回転自在な前面扉１１が設けられている。前面扉１１の中央部は開口１２になっており、この開口１２は前面扉１１の裏側に設けられたガラス板１３によって封止されている。ガラス板１３の奥には遊技盤１４が設けられている。遊技盤１４の前面には遊技領域１５が形成されており、この遊技領域１５には、液晶パネル、入賞口、アウト口などが設けられている。遊技盤１４の下方には、発射装置１６（図３参照）が設けられている。この発射装置１６から遊技領域１５にパチンコ球が打ち出され、遊技領域１５の上部にパチンコ球が案内される。パチンコ球は遊技領域１５を流下し、入賞口またはアウト口のいずれかに入る。
【００１３】
遊技本体３の下部には受け皿１７及び操作ハンドル１８が設けられている。受け皿１７は、遊技者が購入したパチンコ球や、パチンコ球が入賞口に入ったときに払い出される賞球を収容する。操作ハンドル１８が回転操作されると、この回転量に応じた打ち出し強さで発射装置１６からパチンコ球が打ち出される。
【００１４】
図２及び図３に示すように、受け皿１７は全体が直方体状に形成されている。受け皿１７の上面前部にはパチンコ球を収容する凹状の収容部１９が形成されている。収容部１９を画定している奥壁には、賞球を払い出すための払出口２０と、収容しているパチンコ球を発射装置１６へ送り込むための送込口２１とが形成されている。収容部１９の底面はパチンコ球が送込口２１へと転がるように傾斜している。
【００１５】
受け皿１７の両側面には、それぞれ左右に延びる回転軸を中心にしてフリーに回転する回転ローラ２２，２３が設けられている。受け皿１７の下方には、基台２５と、この基台２５の左右方向での両端部に固定されたガイド部材２６，２７とが設けられている。基台２５は、枠体１０の第１横板２４に固定されている。ガイド部材２６，２７は直方体状であって前後方向に延びており、それぞれの上面にはガイド溝２８，２９が形成されている。回転ローラ２２，２３はそれぞれガイド溝２８，２９に位置合わせして載せられ、このとき受け皿１７の下面１７ａは基台２５の上面２５ａに接触する。
【００１６】
受け皿１７の後面には３本の押しバネ３０（付勢手段）が並列に設けられている。各押しバネ３０の後端は枠体１０の後板３１に固定されており、受け皿１７は前方に付勢されている。受け皿１７は、回転ローラ２２，２３をそれぞれガイド溝２８，２９に沿わせながら、図３（Ａ）に示す突出位置と、（Ｂ）に示す押込位置との間で前後方向に移動する。
【００１７】
受け皿１７は、通常は突出位置にあり、前面１７ｃが後方向に強く押されたときに押込位置に移動する。受け皿１７が移動する際には、受け皿１７の上面１７ｂは枠体１０の第２横板３２の下面３２ａに摺動し、また、受け皿１７の下面１７ａは基台２５の上面２５ａに摺動する。遊技本体３の前面にはスピーカ９（図１参照）が設けられており、受け皿１７が押込位置に移動したときにスイッチがオンになってスピーカ９が警報音を発するように構成されている。なお、このスピーカ９の替わりに、受け皿１７が押込位置に移動したときに点灯するランプを用いてもよい。
【００１８】
右方のガイド部材２７にはロック機構（ロック手段）３３が設けられている。ロック機構３３は、ガイド溝２９を画定する底面に形成された上下に延びる溝３４と、この溝３４に沿って上下移動するロック片３５と、このロック片３５を上方に付勢するバネ３６とから構成される。ロック片３５の上部は断面三角形状であり、その上面は後ろに向かうにしたがって高くなるように傾斜している。ロック片３５は、上部を溝３４から突出させるロック位置と、上部を溝３４に退避させる退避位置との間で移動する。ロック片３５には解除部材３７が設けられており、この解除部材３７を押し下げることによって、ロック片３５は退避位置に移動する。
【００１９】
収容部１９に形成された送込口２１は、受け皿１７に形成された通路４１に接続しており、この通路４１は送込通路４０の一部を構成している。送込通路４０は、通路４１と、基台２５に形成された通路４２と、第１横板２４に形成された通路４３とが、それぞれ接続されて構成される。送込通路４０は収容部１９と発射装置１６とを接続しており、収容部１９に収容されたパチンコ球は送込通路４０で一列に整列されて、一球ずつ発射装置１６に装填される。ただし、受け皿１７が突出位置にあるときには通路４１と通路４２が接続するが、受け皿１７が突出位置からずれているときには通路４１と通路４２は接続しない。
【００２０】
発射装置１６に装填されたパチンコ球は、図示しない打出アームによって打ち出され、案内通路５０を通って遊技領域１５に供給される。案内通路５０は、受け皿１７に形成された通路５１と、基台２５に形成された通路５２と、第１横板２４に形成された通路５３と、第２横板３２に形成された通路５４とが、それぞれ接続されて構成される。ただし、受け皿１７が突出位置にあるときには通路５１と通路５２が接続するが、受け皿１７が突出位置からずれたときには通路５１と通路５２は接続しない。言い換えると、受け皿１７が突出位置からずれたときには、通路５２の上面が、受け皿１７の下面（供給阻止手段）１７ａによって塞がれる。
【００２１】
以下、上記構成による作用について図３を用いて説明する。遊技者が突出位置にある受け皿１７にパチンコ球を供給すると、パチンコ球が送込通路４０を通って一球ずつ発射装置１６に装填される。遊技者が操作ハンドル１８（図１参照）を回転操作すると、発射装置１６からパチンコ球が一球ずつ打ち出され、案内通路５０を通って遊技領域１５に供給される。
【００２２】
遊技者がドツキゴトを行うために受け皿１７の前面１７ａを叩いたときには、回転ローラ２３がガイド溝２９に沿って転がり、受け皿１７が押しバネ３０の付勢力に抗して後方向に移動する。受け皿１７を叩く力が弱かった場合には、受け皿１７は押しバネ３０の付勢力によって再び突出位置に戻る。
【００２３】
一方、受け皿１７を叩く力が強かった場合には、回転ローラ２３はロック片３５を退避位置に押しやりながら後方へ転がり、受け皿１７は押込位置に移動する。受け皿１７が押込位置に移動すると、ロック片３５がロック位置に移動して受け皿１７がロックされる。
【００２４】
受け皿１７が押込位置に移動したときには、送込通路４０を構成する通路４２の上面、及び案内通路５０を構成する通路５２の上面が、それぞれ受け皿１７の下面１７ａによって塞がれる。これにより、発射装置１６へパチンコ球を送り込むことができなくなるとともに、発射装置１６から遊技領域１５へパチンコ球を供給することもできなくなり、遊技者は遊技を継続することができなくなる。
【００２５】
また、受け皿１７が押込位置に移動したときには、スピーカ９から警報音が発され、ホールの店員にゴト行為が行われていることが知らされる。受け皿１７が押込位置でロックされていることがドツキゴト行為の確実な証拠になり、遊技者は言い逃れすることはできない。
【００２６】
店員が受け皿１７を突出位置に戻す際には、遊技本体３を外枠４に対する開き位置に移動させて、遊技本体３の側面及び裏面を露呈させ、この上で、解除部材３７を押下操作して受け皿１７のロックを外す。受け皿１７は押しバネ３０の付勢力によって押込位置から突出位置に移動する。
【００２７】
本発明によれば、ドツキゴト行為が行われたことを示す確実な証拠を視覚的に残すことができる。また、ドツキゴト行為のために受け皿１７が叩かれても、この叩いた力は押しバネ３０によって吸収されて、枠体１０や遊技盤１４などには振動が伝わらないことから破損や故障を防ぐことができるとともに、他の遊技者に迷惑がかかることがなくなる。
【００２８】
なお、受け皿１７ばかりでなく操作ハンドル１８をも叩く遊技者に対処するため、図４に示すように、受け皿１７と操作ハンドル１８とを連結部材１００で連結してユニット化し、操作ハンドル１８が叩かれたときにも受け皿１７が押込位置に移動するように構成してもよい。連結部材１００が基台２５に干渉しないように、基台２５には開口１０１を形成する。
【００２９】
上記実施形態では、受け皿１７が押込位置に移動したときに、受け皿１７の下面１７ａで案内通路５０を塞ぐことによって、発射装置１６から遊技領域１５へのパチンコ球の供給を不能にしたが、この替わりに、受け皿が押込位置に移動したときにオンになるスイッチを設け、このスイッチからオン信号が出力されているときに発射装置の駆動を強制的に停止させてパチンコ球が供給されないように構成してもよい。
【００３０】
上記実施形態では、受け皿１７が押込位置に移動したときに、受け皿１７から発射装置１６へのパチンコ球の送り込みを不能にするとともに、発射装置１６から遊技領域１５へのパチンコ球の供給を不能にしたが、いずれか一方のみを不能にする構成であってもよい。
【００３１】
受け皿１７が押込位置に押し込まれるときの押込量は任意で構わないが、受け皿全体が遊技本体内に入り込むように構成してもよい。
【００３２】
パチンコ機２に従来の振動センサを設けるとともに、受け皿１７を突出位置でロック可能な第２のロック機構を設け、振動センサが振動を検知したときに、第２のロック機構のロックを解除する構成を加えてもよい。これにより、通常に遊技を行っている場合に受け皿１７が動いてしまうことを防止することができる。
【図面の簡単な説明】
【００３３】
【図１】パチンコ機の外観斜視図である。
【図２】受け皿及び基台の分解斜視図である。
【図３】パチンコ機の要部断面図である。
【図４】受け皿と操作ハンドルとをユニット化した別実施形態を示す分解斜視図である。
【符号の説明】
【００３４】
２  パチンコ機
３  遊技本体
１７  受け皿
３０  押しバネ
３３  ロック機構
【図１】
2008167982.tif 000003
【図２】
2008167982.tif 000004
【図３】
2008167982.tif 000005
【図４】
2008167982.tif 000006